(57)【要約】【課題】資産を容易に、迅速に確認する技術を提供する。【解決手段】  資産管理支援装置であって、管理対象物に貼付された一意のカラーコードが被写体に含まれる映像情報と、管理対象物の配置位置を特定する情報と、以前に管理対象物が確認された際に確認担当者が移動した経路を特定する経路履歴情報と、を記憶した記憶部と、管理対象物について配置位置を特定する情報および経路履歴情報を用いて、指示情報に含まれる管理対象物へ至る経路を誘導する経路誘導部と、他の装置から映像情報を着信すると、着信した映像情報の被写体に、管理対象物に貼付された一意のカラーコードと一致するカラーコードが含まれるか否かを検出し、一意のカラーコードと一致するカラーコードが含まれる場合には、資産として確認済みである旨を登録する資産存在確認部と、を有することを特徴とする。【選択図】図１
2015172859.tif 000002
【特許請求の範囲】
【請求項１】
管理対象物に貼付された一意のカラーコードが被写体に含まれる映像情報と、前記管理対象物の配置位置を特定する情報と、以前に当該管理対象物が確認された際に確認担当者が移動した経路を特定する経路履歴情報と、を記憶した記憶部と、
前記管理対象物について前記配置位置を特定する情報および前記経路履歴情報を用いて、前記指示情報に含まれる管理対象物へ至る経路を誘導する経路誘導部と、
他の装置から映像情報を着信すると、着信した前記映像情報の被写体に、前記管理対象物に貼付された一意のカラーコードと一致するカラーコードが含まれるか否かを検出し、前記一意のカラーコードと一致するカラーコードが含まれる場合には、資産として確認済みである旨を登録する資産存在確認部と、
を有することを特徴とする資産管理支援装置。
【請求項２】
請求項１に記載の資産管理支援装置であって、
前記記憶部には、さらに、建造物内部の配置を視覚化したレイアウト情報と、建造物外部についての地図情報と、以前に管理対象物が確認された際に確認担当者が撮影した動画情報と、が記憶されており、
前記経路誘導部は、前記指示情報に含まれる一つまたは複数の前記管理対象物のうち、前記他の装置の存在する位置から最寄りの位置にある管理対象物が、前記他の装置の存在する位置が属する建造物内にある場合、前記レイアウト情報を用いて経路を誘導するとともに、前記管理対象物についての前記動画情報を用いて経路を誘導する、
ことを特徴とする資産管理支援装置。
【請求項３】
請求項２に記載の資産管理支援装置であって、
前記経路誘導部は、前記最寄りの位置にある管理対象物に関する動画情報が再生されている期間においては、所定の範囲を録画記録する、
ことを特徴とする管理支援装置。
【請求項４】
請求項２または３に記載の資産管理支援装置であって、
前記経路誘導部は、前記最寄りの管理対象物に関して複数の動画情報が存在する場合には、移動に要する時間が最短の動画情報を用いる、
ことを特徴とする資産管理支援装置。
【請求項５】
請求項１〜４のいずれか一項に記載の資産管理支援装置であって、
前記記憶部に記憶された映像情報には、管理対象物に貼付された一意のカラーコードと、前記管理対象物の一部または全部と、前記一意のカラーコードを基準とする前記管理対象物の配置位置周辺の近景と、が被写体に含まれる映像情報であり、
前記資産存在確認部は、
前記着信した前記映像情報の被写体に、前記管理対象物に貼付された一意のカラーコードと一致するカラーコードが含まれるか否かを検出し、含まれる場合には、前記着信した映像情報のうち検出したカラーコードを基準とする所定の範囲の映像について、前記一意のカラーコードに係る映像情報と類似するか否かを特定し、類似する場合には、前記一意のカラーコードが貼付された管理対象物について、資産として確認済みである旨を登録する、
ことを特徴とする資産管理支援装置。
【請求項６】
請求項５に記載の資産管理支援装置であって、
前記カラーコードは、複数の所定の色のうちいずれか一色を付された閉じられた図形を複数含み、前記図形ごとに付された色の組み合わせに応じて、一意の情報を示す、
ことを特徴とする資産管理支援装置。
【請求項７】
請求項６に記載の資産管理支援装置であって、
前記カラーコードは、黒を背景色として、複数の所定の色のうちいずれか一色を付された閉じられた図形が等間隔に縦横に整列するように複数含み、前記図形のうち最左列を構成する図形は、カラーコードの位置を特定するための特定セルとして割り当てられ、最上列を構成する図形は、他の図形で付される色を示したリファレンス領域を構成するものである、
ことを特徴とする資産管理支援装置。
【請求項８】
請求項１〜７のいずれか一項に記載の資産管理支援装置であって、
前記記憶部には、さらに、一つまたは複数の前記管理対象物について資産存在確認を指示する指示情報が記憶され、
前記資産存在確認部は、前記指示情報に含まれる一つまたは複数の前記管理対象物に関して、資産として確認済みである旨を登録する、
ことを特徴とする資産管理支援装置。
【請求項９】
管理対象物に貼付された一意のカラーコードが被写体に含まれる映像情報と、前記管理対象物の配置位置を特定する情報と、以前に当該管理対象物が確認された際に確認担当者が移動した経路を特定する経路履歴情報と、を記憶した記憶部と、
前記管理対象物について前記配置位置を特定する情報および前記経路履歴情報を用いて、前記指示情報に含まれる管理対象物へ至る経路を誘導する経路誘導部と、
他の装置から映像情報を着信すると、着信した前記映像情報の被写体に、前記管理対象物に貼付された一意のカラーコードと一致するカラーコードが含まれるか否かを検出し、前記一意のカラーコードと一致するカラーコードが含まれる場合には、資産として確認済みである旨を登録する資産存在確認部と、
を有することを特徴とする資産管理支援システム。
【請求項１０】
コンピューターに、資産管理を支援する手順を実行させるプログラムであって、
前記コンピューターを、管理対象物に貼付された一意のカラーコードが被写体に含まれる映像情報と、前記管理対象物の配置位置を特定する情報と、以前に当該管理対象物が確認された際に確認担当者が移動した経路を特定する経路履歴情報と、を記憶した記憶手段と、制御手段、として機能させ、
前記制御手段に対して、
前記管理対象物について前記配置位置を特定する情報および前記経路履歴情報を用いて、前記指示情報に含まれる管理対象物へ至る経路を誘導する経路誘導ステップと、
他の装置から映像情報を着信すると、着信した前記映像情報の被写体に、前記管理対象物に貼付された一意のカラーコードと一致するカラーコードが含まれるか否かを検出するステップと、
一致するカラーコードが含まれる場合には、前記着信した映像情報のうち検出したカラーコードを基準とする所定の範囲の映像について、前記一意のカラーコードに係る映像情報と類似するか否かを特定するステップと、
類似する場合には、前記一意のカラーコードが貼付された管理対象物について、資産として確認済みである旨を登録する資産存在確認ステップと、
を実行させることを特徴とする資産管理支援プログラム。
【請求項１１】
コンピューターを用いた、資産管理を支援する方法であって、
前記コンピューターは、管理対象物に貼付された一意のカラーコードが被写体に含まれる映像情報と、前記管理対象物の配置位置を特定する情報と、以前に当該管理対象物が確認された際に確認担当者が移動した経路を特定する経路履歴情報と、を記憶した記憶部と、制御部と、を備え、
前記制御部は、
前記管理対象物について前記配置位置を特定する情報および前記経路履歴情報を用いて、前記指示情報に含まれる管理対象物へ至る経路を誘導する経路誘導ステップと、
他の装置から映像情報を着信すると、着信した前記映像情報の被写体に、前記管理対象物に貼付された一意のカラーコードと一致するカラーコードが含まれるか否かを検出するステップと、
一致するカラーコードが含まれる場合には、前記着信した映像情報のうち検出したカラーコードを基準とする所定の範囲の映像について、前記一意のカラーコードに係る映像情報と類似するか否かを特定するステップと、
類似する場合には、前記一意のカラーコードが貼付された管理対象物について、資産として確認済みである旨を登録する資産存在確認ステップと、
を実施することを特徴とする資産管理支援方法。
【発明の詳細な説明】
【技術分野】
【０００１】
本発明は、資産管理支援装置に関するものである。
【背景技術】
【０００２】
従来、管理コンピューターが、携帯端末において取得した管理対象の資産の資産識別子又は管理分類を含む確認対象情報を取得し、確認ステータスが未更新である資産の一覧表示を携帯端末に送信した後、携帯端末から資産識別子を取得し、この資産識別子を含む資産情報の確認ステータスを更新し、携帯端末の表示を変更させる技術がある。特許文献１は、このような技術について記載されている。
【先行技術文献】
【特許文献】
【０００３】
【特許文献１】特開２００７−２１３３４７号公報
【発明の概要】
【発明が解決しようとする課題】
【０００４】
上記技術では、確認対象の資産の写真や、資産が配置されているフロア等の地図情報、資産を識別する情報等を携帯端末で受け付けて、これを参考にして確認担当者が資産の現物を探し出し、確認報告を行うことが可能となる。しかし、確認する現場での資産の発見、確認作業の精度、速度は確認担当者によりばらつきがあり、均質化することは難しい。
【０００５】
本発明の目的は、資産を容易に、迅速に確認する技術を提供することにある。
【課題を解決するための手段】
【０００６】
本願は、上記課題の少なくとも一部を解決する手段を複数含んでいるが、その例を挙げるならば、以下のとおりである。上記課題を解決すべく、本発明に係る資産管理支援装置は、管理対象物に貼付された一意のカラーコードが被写体に含まれる映像情報と、上記管理対象物の配置位置を特定する情報と、以前に当該管理対象物が確認された際に確認担当者が移動した経路を特定する経路履歴情報と、を記憶した記憶部と、上記管理対象物について上記配置位置を特定する情報および上記経路履歴情報を用いて、上記指示情報に含まれる管理対象物へ至る経路を誘導する経路誘導部と、他の装置から映像情報を着信すると、着信した上記映像情報の被写体に、上記管理対象物に貼付された一意のカラーコードと一致するカラーコードが含まれるか否かを検出し、上記一意のカラーコードと一致するカラーコードが含まれる場合には、資産として確認済みである旨を登録する資産存在確認部と、
を有することを特徴とする。
【０００７】
また、上記の資産管理支援装置においては、上記記憶部には、さらに、建造物内部の配置を視覚化したレイアウト情報と、建造物外部についての地図情報と、以前に管理対象物が確認された際に確認担当者が撮影した動画情報と、が記憶されており、上記経路誘導部は、上記指示情報に含まれる一つまたは複数の上記管理対象物のうち、上記他の装置の存在する位置から最寄りの位置にある管理対象物が、上記他の装置の存在する位置が属する建造物内にある場合、上記レイアウト情報を用いて経路を誘導するとともに、上記管理対象物についての上記動画情報を用いて経路を誘導する、ことを特徴とするものであってもよい。
【０００８】
また、上記の資産管理支援装置においては、上記経路誘導部は、上記最寄りの位置にある管理対象物に関する動画情報が再生されている期間においては、所定の範囲を録画記録する、ことを特徴とするものであってもよい。
【０００９】
また、上記の資産管理支援装置においては、上記経路誘導部は、上記最寄りの管理対象物に関して複数の動画情報が存在する場合には、移動に要する時間が最短の動画情報を用いる、ことを特徴とするものであってもよい。
【００１０】
また、上記の資産管理支援装置においては、上記記憶部に記憶された映像情報には、管理対象物に貼付された一意のカラーコードと、上記管理対象物の一部または全部と、上記一意のカラーコードを基準とする上記管理対象物の配置位置周辺の近景と、が被写体に含まれる映像情報であり、上記資産存在確認部は、上記着信した上記映像情報の被写体に、上記管理対象物に貼付された一意のカラーコードと一致するカラーコードが含まれるか否かを検出し、含まれる場合には、上記着信した映像情報のうち検出したカラーコードを基準とする所定の範囲の映像について、上記一意のカラーコードに係る映像情報と類似するか否かを特定し、類似する場合には、上記一意のカラーコードが貼付された管理対象物について、資産として確認済みである旨を登録する、ことを特徴とするものであってもよい。
【００１１】
また、上記の資産管理支援装置においては、上記カラーコードは、複数の所定の色のうちいずれか一色を付された閉じられた図形を複数含み、上記図形ごとに付された色の組み合わせに応じて、一意の情報を示す、ことを特徴とするものであってもよい。
【００１２】
また、上記の資産管理支援装置においては、上記カラーコードは、黒を背景色として、複数の所定の色のうちいずれか一色を付された閉じられた図形が等間隔に縦横に整列するように複数含み、上記図形のうち最左列を構成する図形は、カラーコードの位置を特定するための特定セルとして割り当てられ、最上列を構成する図形は、他の図形で付される色を示したリファレンス領域を構成するものである、ことを特徴とするものであってもよい。
【００１３】
また、上記の資産管理支援装置においては、上記記憶部には、さらに、一つまたは複数の上記管理対象物について資産存在確認を指示する指示情報が記憶され、上記資産存在確認部は、上記指示情報に含まれる一つまたは複数の上記管理対象物に関して、資産として確認済みである旨を登録する、ことを特徴とするものであってもよい。
【００１４】
また、本願に係る資産管理支援システムは、管理対象物に貼付された一意のカラーコードが被写体に含まれる映像情報と、上記管理対象物の配置位置を特定する情報と、以前に当該管理対象物が確認された際に確認担当者が移動した経路を特定する経路履歴情報と、を記憶した記憶部と、上記管理対象物について上記配置位置を特定する情報および上記経路履歴情報を用いて、上記指示情報に含まれる管理対象物へ至る経路を誘導する経路誘導部と、他の装置から映像情報を着信すると、着信した上記映像情報の被写体に、上記管理対象物に貼付された一意のカラーコードと一致するカラーコードが含まれるか否かを検出し、上記一意のカラーコードと一致するカラーコードが含まれる場合には、資産として確認済みである旨を登録する資産存在確認部と、を有することを特徴とする。
【００１５】
また、本願に係る資産管理支援プログラムは、コンピューターに、資産管理を支援する手順を実行させるプログラムであって、上記コンピューターを、管理対象物に貼付された一意のカラーコードが被写体に含まれる映像情報と、上記管理対象物の配置位置を特定する情報と、以前に当該管理対象物が確認された際に確認担当者が移動した経路を特定する経路履歴情報と、を記憶した記憶手段と、制御手段、として機能させ、上記制御手段に対して、上記管理対象物について上記配置位置を特定する情報および上記経路履歴情報を用いて、上記指示情報に含まれる管理対象物へ至る経路を誘導する経路誘導ステップと、他の装置から映像情報を着信すると、着信した上記映像情報の被写体に、上記管理対象物に貼付された一意のカラーコードと一致するカラーコードが含まれるか否かを検出するステップと、一致するカラーコードが含まれる場合には、上記着信した映像情報のうち検出したカラーコードを基準とする所定の範囲の映像について、上記一意のカラーコードに係る映像情報と類似するか否かを特定するステップと、類似する場合には、上記一意のカラーコードが貼付された管理対象物について、資産として確認済みである旨を登録する資産存在確認ステップと、を実行させることを特徴とする。
【００１６】
また、本願に係る資産管理支援方法は、コンピューターを用いた、資産管理を支援する方法であって、上記コンピューターは、管理対象物に貼付された一意のカラーコードが被写体に含まれる映像情報と、上記管理対象物の配置位置を特定する情報と、以前に当該管理対象物が確認された際に確認担当者が移動した経路を特定する経路履歴情報と、を記憶した記憶部と、制御部と、を備え、上記制御部は、上記管理対象物について上記配置位置を特定する情報および上記経路履歴情報を用いて、上記指示情報に含まれる管理対象物へ至る経路を誘導する経路誘導ステップと、他の装置から映像情報を着信すると、着信した上記映像情報の被写体に、上記管理対象物に貼付された一意のカラーコードと一致するカラーコードが含まれるか否かを検出するステップと、一致するカラーコードが含まれる場合には、上記着信した映像情報のうち検出したカラーコードを基準とする所定の範囲の映像について、上記一意のカラーコードに係る映像情報と類似するか否かを特定するステップと、類似する場合には、上記一意のカラーコードが貼付された管理対象物について、資産として確認済みである旨を登録する資産存在確認ステップと、を実施することを特徴とする。
【発明の効果】
【００１７】
本発明によると、資産を容易に、迅速に確認する技術を提供することができる。ただし、上記した以外の課題、構成および効果は、以下の実施形態の説明により明らかにされる。
【図面の簡単な説明】
【００１８】
【図１】実施形態に係る資産管理システムの構成例を示す図である。
【図２】実施形態に係る資産管理システムの構成例を示す図である。
【図３】資産情報記憶部に格納されるデータ構造を示す図である。
【図４】棚卸作業情報記憶部に格納されるデータ構造を示す図である。
【図５】地図情報記憶部に格納されるデータ構造を示す図である。
【図６】棚卸経路履歴記憶部に格納されるデータ構造を示す図である。
【図７】誘導履歴記憶部に格納されるデータ構造を示す図である。
【図８】ナレッジ記憶部に格納されるデータ構造を示す図である。
【図９】資産管理支援装置のハードウェア構成を示す図である。
【図１０】棚卸誘導端末のハードウェア構成を示す図である。
【図１１】資産コード登録処理のフローを示す図である。
【図１２】実施形態に係る資産コード登録処理の出力画面の例を示す図である。
【図１３】棚卸誘導処理のフローを示す図である。
【図１４】実施形態に係る棚卸誘導処理の出力画面の例を示す図である。
【図１５】資産存在確認処理のフローを示す図である。
【図１６】実施形態に係る資産存在確認処理の出力画面の例を示す図である。
【発明を実施するための形態】
【００１９】
以下に、本発明に係る第一の実施形態を適用した資産管理システム１を用いた実施形態について、図面を参照して説明する。
【００２０】
図１および図２は、本発明の第一の実施形態における資産管理システム１の概要を示す図である。本実施形態において想定する資産管理システム１においては、資産管理支援装置１００と、棚卸誘導端末２００と、管理対象資産３００と、が利用される。資産管理支援装置１００は、例えば、いわゆるパソコンやサーバー装置である。棚卸誘導端末２００は、例えば、いわゆるパソコンや、情報処理機能を有する携帯機器（例えば、スマートフォン）である。管理対象資産３００は、資産管理システム１において資産管理を行う対象の設備、機器等の資産である。例えば、管理対象資産３００は、プリンターや現金自動預払機、複写機、発券機、ＰＯＳ（Ｐｏｉｎｔ  ｏｆ  Ｓａｌｅｓ）端末等である。
【００２１】
資産管理支援装置１００と、棚卸誘導端末２００とは、ネットワーク１０を介して互いに通信可能に接続される。ただし、管理対象資産３００については、必ずしも資産管理支援装置１００と棚卸誘導端末２００とが接続されるネットワーク１０に接続される必要はない。例えば、管理対象資産３００はネットワークへの接続の有無に関係なく動作するプリンタやコピー機、机や椅子等でも良い。
【００２２】
資産管理システム１においては、棚卸誘導端末２００を用いて管理対象資産３００を撮影することで、資産の登録および資産の棚卸を行うことが可能である。また、棚卸誘導端末２００は、以前の資産の棚卸の際に操作者が移動中に撮影した動画を視聴可能に提示する。棚卸誘導端末２００が備える撮像部２３０によって撮影される対象は、管理対象資産３００の外観と、管理対象資産３００に貼付されたカラーコード３５０と、管理対象資産３００が配置された位置におけるカラーコード３５０を基準とする所定の範囲と、が含まれる配置近景４００である。
【００２３】
棚卸誘導端末２００により撮影された映像情報は、資産管理支援装置１００へ送信され、資産管理支援装置１００に蓄積される。資産管理支援装置１００から棚卸誘導端末２００へは、棚卸対象となる管理対象資産３００の位置と、当該位置へ棚卸のために移動する経路の履歴情報と、が送信される。
【００２４】
資産管理支援装置１００は、棚卸誘導端末２００から管理対象資産３００の映像情報を収集し、含まれるカラーコード３５０を符号化した資産コードを用いて蓄積する。また、資産管理支援装置１００は、棚卸誘導端末２００に対して、存在確認を行う棚卸対象の管理対象資産３００を指示する。
【００２５】
ネットワーク１０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信網である。なお、携帯電話通信網等の無線通信網上のＶＰＮ（Ｖｉｒｔｕａｌ  Ｐｒｉｖａｔｅ  Ｎｅｔｗｏｒｋ）等であってもよい。
【００２６】
カラーコード３５０は、複数の所定の色のうちいずれか一色を付された閉じられた図形を複数含み、上記図形ごとに付された色の組み合わせに応じて、一意の情報を示すものである。より具体的には、カラーコードには、黒を背景色として、複数の所定の色（シアン、マゼンタ、イエロー、ブラック等）のうちいずれか一色を付された閉じられた図形（例えば、四角、丸、星等多角形を含む）が等間隔に縦横に整列するように複数含まれ、図形のうち最左列を構成する図形は、カラーコードの位置を特定するための特定セルとして割り当てられ、最上列を構成する図形は、他の図形で付される色を示したリファレンス領域が構成されるものである。カラーコード３５０には、例えば、カメレオンコード（登録商標）などを用いることができる。
【００２７】
資産管理支援装置１００には、制御部１１０と、記憶部１２０と、通信部１３０と、が含まれる。制御部１１０には、資産登録部１１１と、棚卸指示部１１２と、棚卸経路誘導部１１３と、資産存在確認部１１４と、が含まれる。記憶部１２０には、資産情報記憶部１２１と、棚卸作業情報記憶部１２２と、地図情報記憶部１２３と、棚卸経路履歴記憶部１２４と、誘導履歴記憶部１２５と、ナレッジ記憶部１２６と、が含まれる。
【００２８】
図３は、資産情報記憶部１２１の構成例を示す図である。資産情報記憶部１２１には、資産コード１２１Ａと、資産種別１２１Ｂと、配置位置１２１Ｃと、資産映像１２１Ｄと、が対応付けられている。資産コード１２１Ａは、管理対象資産３００を特定する情報である。資産種別１２１Ｂは、管理対象資産３００の種別を特定する情報である。配置位置１２１Ｃは、管理対象資産３００の配置された位置を特定する情報である。資産映像１２１Ｄは、管理対象資産３００を、その資産に貼付されているカラーコードと資産が配された位置付近の近景とともに撮影した映像である。
【００２９】
図４は、棚卸作業情報記憶部１２２の構成例を示す図である。棚卸作業情報記憶部１２２には、資産コード１２２Ａと、配置位置１２２Ｂと、棚卸作業予定日時１２２Ｃと、資産映像１２２Ｄと、作業者１２２Ｅと、が対応付けられている。資産コード１２２Ａは、管理対象資産３００を特定する情報である。配置位置１２２Ｂは、管理対象資産３００の配置された位置を特定する情報である。棚卸作業予定日時１２２Ｃは、管理対象資産３００の資産の存在確認を行う棚卸作業を実施する予定日時を特定する情報である。資産映像１２２Ｄは、管理対象資産３００を、その資産に貼付されているカラーコード３５０と資産が配された位置付近の近景とともに撮影した映像である。作業者１２２Ｅは、管理対象資産３００の棚卸作業を行う作業者を特定する情報である。
【００３０】
図５は、地図情報記憶部１２３の構成例を示す図である。地図情報記憶部１２３は、地域識別子１２３Ａと、地図情報１２３Ｂと、が対応付けられており、地図情報１２３Ｂにより特定される地図には、地形図と、建物の範囲１２３Ｃ、住所１２３Ｄ、階情報１２３Ｅ、レイアウト情報１２３Ｆの組み合わせが複数含まれる。
【００３１】
地域識別子１２３Ａは、所定の地域を特定する情報である。例えば、地域識別子１２３Ａは、ある地域を複数の領域に区分けした際に、一つの領域を他の領域から区別しうる情報である。地図情報１２３Ｂは、地域識別子１２３Ａにて特定される地域の地形情報等を特定する情報である。
【００３２】
建物の範囲１２３Ｃは、地域識別子１２３Ａにて特定される地域内の建物ごとに、その建物が占める範囲の形状と大きさとを特定する情報である。住所１２３Ｄは、建物の範囲１２３Ｃにて特定される建物の住所を特定する情報である。階情報１２３Ｅは、建物の階を特定する情報である。レイアウト情報１２３Ｆは、階情報１２３Ｅで特定される建物のフロアの見取り図等の、フロア内構成物の配置を特定する図である。
【００３３】
図６は、棚卸経路履歴記憶部１２４の構成例を示す図である。棚卸経路履歴記憶部１２４は、経路を識別する経路識別子１２４Ａと、棚卸実施期１２４Ｂと、の組み合わせごとに、資産コード１２４Ｃと、棚卸日時１２４Ｄと、作業者１２４Ｅと、棚卸資産までの移動履歴１２４Ｆと、の組み合わせが複数含まれる。
【００３４】
経路識別子１２４Ａは、管理対象資産３００の棚卸を行う際の作業者の移動経路を特定する情報である。棚卸実施期１２４Ｂは、管理対象資産３００の棚卸を行った時期を特定する情報である。資産コード１２４Ｃは、管理対象資産３００を特定する情報である。棚卸日時１２４Ｄは、棚卸がなされた日時を特定する情報である。作業者１２４Ｅは、管理対象資産３００の棚卸を行った担当者を特定する情報である。棚卸資産までの移動履歴１２４Ｆは、管理対象資産３００の棚卸を行う際に、直前に棚卸を行った管理対象資産３００から担当者が移動した履歴を特定する情報である。例えば、直前に棚卸を行った管理対象資産３００が配置されていた建物から、次の棚卸対象の管理対象資産３００が配置されている建物までの移動経路等を特定する情報である。
【００３５】
図７は、誘導履歴記憶部１２５の構成例を示す図である。誘導履歴記憶部１２５は、棚卸映像１２５Ａと、映像に含まれる資産コード１２５Ｂと、が対応付けられている。棚卸映像１２５Ａは、管理対象資産３００の棚卸を行う作業時に、管理対象資産３００および貼付されたカラーコード３５０を撮影した映像情報である。映像に含まれる資産コード１２５Ｂは、棚卸映像１２５Ａの映像情報に写り込んだカラーコード３５０から特定される資産コードを列挙したものである。
【００３６】
図８は、ナレッジ記憶部１２６の構成例を示す図である。ナレッジ記憶部１２６は、経路識別子１２６Ａと、資産コード１２６Ｂと、ナレッジ情報１２６Ｃと、が対応付けられている。経路識別子１２６Ａは、管理対象資産３００の棚卸の際の確認経路を特定する情報である。資産コード１２６Ｂは、棚卸対象の管理対象資産３００を特定する情報である。ナレッジ情報１２６Ｃは、経路識別子１２６Ａと、資産コード１２６Ｂと、の組み合わせにより特定される棚卸作業における注意点やノウハウを含む文字または音声の情報である。
【００３７】
図１の説明に戻る。資産登録部１１１は、管理対象資産３００の情報と、当該資産に関するナレッジ情報と、を受け付けると、管理対象資産３００の情報については資産情報記憶部１２１へ、管理対象資産３００のナレッジ情報についてはナレッジ記憶部１２６へ、それぞれ格納する。その際、資産登録部１１１は、管理対象資産３００の情報に含まれる映像情報にカラーコードが含まれ、かつ当該カラーコードを符号化した資産コードの情報が資産情報記憶部１２１に格納されていない場合には、カラーコードを符号化した資産コードを特定して、管理対象資産３００の情報として資産情報記憶部１２１へ格納する。
【００３８】
棚卸指示部１１２は、棚卸対象の管理対象資産３００を特定し、要求された条件を満たす管理対象資産３００の一覧等を含む指示情報を生成し、棚卸誘導端末２００に対して送信する。
【００３９】
棚卸経路誘導部１１３は、棚卸の指示情報に含まれる管理対象資産３００の棚卸作業時の移動経路の誘導に関する情報（地図上の通過地点等）を、提示する。
【００４０】
資産存在確認部１１４は、管理対象資産３００と、これに貼付されたカラーコード３５０およびこれらを含む所定の画角の配置近景４００に関する映像情報を含む情報を受け付けて、映像内に棚卸対象となっている管理対象資産３００が存在する場合には、確認済みであることを登録する。
【００４１】
通信部１３０は、ネットワーク１０を介して他の装置、例えば棚卸誘導端末２００等との通信を行う。
【００４２】
図２に示すように、棚卸誘導端末２００には、制御部２１０と、記憶部２２０と、撮像部２３０と、通信部２４０と、が含まれる。制御部２１０には、撮像制御部２１１と、ブラウザ部２１２と、衛星波制御部２１３と、が含まれる。
【００４３】
記憶部２２０には、図３に示す資産情報記憶部１２１と略同じデータ構造を有する資産情報記憶部２２１と、図４に示す棚卸作業情報記憶部１２２と略同じデータ構造を有する棚卸作業情報記憶部２２２と、が含まれる。そのため、両記憶部についての詳細な説明は省略する。基本的には、資産情報記憶部２２１および棚卸作業情報記憶部２２２は、棚卸誘導端末２００がネットワーク１０に接続できない状態（例えば、基地局からの通信圏外になっている場合、あるいは通信機能の破損時）において、一時的にキャッシュしておくデータの記憶部であるといえる。
【００４４】
図２の説明に戻る。撮像制御部２１１は、撮像部２３０に対して、プレビュー情報の取得開始指示、撮影開始指示、フォーカス／露光量変更指示、撮影終了指示、取得映像情報の取り出し、等の撮像に関する指示を与える。
【００４５】
ブラウザ部２１２は、ネットワーク１０を介して、資産管理支援装置１００等の別の装置に対して所定のプロトコルによる通信を行い、所定の画面情報の要求、要求結果の受信、要求結果の表示等を実行する。なお、ブラウザ部２１２は、ＨＴＭＬ（Ｈｙｐｅｒ  Ｔｅｘｔ  Ｔｒａｎｆｅｒｉｎｇ  Ｌａｎｇｕａｇｅ  ）等で作成されたＷｅｂページ等をＨＴＴＰ等の通信プロトコルにより取得し表示する。
【００４６】
衛星波制御部２１３は、衛星波を受信し、受信した情報を用いることが可能なように成形する。なお、衛星波には、ＧＰＳ（ＧＬＯＢＡＬ  ＰＯＳＩＴＩＯＮＩＮＧ  ＳＹＳＴＥＭ）、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）等の衛星波が含まれるが、これに限定されるものではない。
【００４７】
撮像部２３０は、管理対象資産３００と、管理対象資産３００に貼付されたカラーコード３５０と、管理対象資産３００が配置されている位置周辺の所定の範囲の配置近景４００と、を撮像できる画角を有すると共に、適切な位置に移動可能な撮像装置を含む。撮像部２３０は、撮像して得た映像情報を、撮像制御部２１１に受け渡す。なお、撮像部２３０が得る映像情報は、動画情報であるが、これに限られず、静止画情報であってもよい。
【００４８】
通信部２４０は、ネットワーク１０を介して他の装置、例えば資産管理支援装置１００等との通信を行う。
【００４９】
図９は、資産管理支援装置１００のハードウェア構成例を示す図である。資産管理支援装置１００は、演算装置１０２と、外部記憶装置１０３と、主記憶装置１０４と、出力装置１０５と、通信装置１０６と、各装置をつなぐバス１０７と、を少なくとも備える。また、他に、資産管理支援装置１００は、入力装置１０１を備えるものであってもよい。
【００５０】
演算装置１０２は、例えばＣＰＵ（Ｃｅｎｔｒａｌ  Ｐｒｏｃｅｓｓｉｎｇ  Ｕｎｉｔ）などの演算装置である。
【００５１】
外部記憶装置１０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００５２】
主記憶装置１０４は、例えばＲＡＭ（Ｒａｎｄｏｍ  Ａｃｃｅｓｓ  Ｍｅｍｏｒｙ）などのメモリ装置である。
【００５３】
出力装置１０５は、例えば液晶ディスプレイや、有機ＥＬ（Ｅｌｅｃｔｒｏ  Ｌｕｍｉｎｅｓｃｅｎｃｅ）ディスプレイ等の表示装置である。
【００５４】
通信装置１０６は、ネットワーク１０等を介して棚卸誘導端末２００等の他の装置と通信経路を確立し、情報を送受信するネットワークカード等の装置である。
【００５５】
入力装置１０１は、キーボードやマウス、タッチパネル等の各種入力装置である。
【００５６】
上記した資産管理支援装置１００の資産登録部１１１、棚卸指示部１１２、棚卸経路誘導部１１３、資産存在確認部１１４は、演算装置１０２に処理を行わせるプログラムによって実現される。このプログラムは、主記憶装置１０４、外部記憶装置１０３または図示しないＲＯＭ装置内に記憶され、実行にあたって主記憶装置１０４上にロードされ、演算装置１０２により実行される。
【００５７】
また、資産管理支援装置１００の記憶部１２０は、主記憶装置１０４及び外部記憶装置１０３により実現される。また、資産管理支援装置１００の通信部１３０は、通信装置１０６により実現される。以上が、資産管理支援装置１００のハードウェア構成例である。
【００５８】
図１０は、棚卸誘導端末２００のハードウェア構成例を示す図である。棚卸誘導端末２００は、入力装置２０１と、演算装置２０２と、外部記憶装置２０３と、主記憶装置２０４と、出力装置２０５と、撮像装置２０６と、衛星波受信装置２０７と、通信装置２０８と、各装置をつなぐバス２０９と、を少なくとも備える。
【００５９】
入力装置２０１は、キーボードやマウス、タッチパネル等の各種入力装置である。
【００６０】
演算装置２０２は、例えばＣＰＵなどの演算装置である。
【００６１】
外部記憶装置２０３は、デジタル情報を記憶可能な、いわゆるハードディスクやＳＳＤあるいはフラッシュメモリなどの不揮発性記憶装置である。
【００６２】
主記憶装置２０４は、例えばＲＡＭなどのメモリ装置である。
【００６３】
出力装置２０５は、例えば液晶ディスプレイや、有機ＥＬディスプレイ等の表示装置である。
【００６４】
撮像装置２０６は、所定の波長に一定以上の感度を有する素子を用いて、画像情報を出力する撮像装置である。
【００６５】
衛星波受信装置２０７は、３つ以上の人工衛星から送信された衛星波をアンテナを用いて受信し、受信した情報に基づき現在地の座標を割り出す装置である。
【００６６】
通信装置２０８は、ネットワーク１０等を介して資産管理支援装置１００等の他の装置と通信経路を確立し、情報を送受信するネットワークカード等の装置である。
【００６７】
入力装置２０１と、演算装置２０２と、外部記憶装置２０３と、主記憶装置２０４と、出力装置２０５と、撮像装置２０６と、衛星波受信装置２０７と、通信装置２０８とは、バス２０９等の接続導線により互いに接続される。
【００６８】
上記した棚卸誘導端末２００の撮像制御部２１１、ブラウザ部２１２、衛星波制御部２１３は、演算装置２０２に処理を行わせるプログラムによって実現される。このプログラムは、主記憶装置２０４、外部記憶装置２０３または図示しないＲＯＭ装置内に記憶され、実行にあたって主記憶装置２０４上にロードされ、演算装置２０２により実行される。
【００６９】
また、棚卸誘導端末２００の記憶部２２０は、主記憶装置２０４及び外部記憶装置２０３により実現される。また、撮像部２３０は、撮像装置２０６により実現される。また、棚卸誘導端末２００の通信部２４０は、通信装置２０８により実現される。以上が、棚卸誘導端末２００のハードウェア構成例である。
【００７０】
資産管理支援装置１００、棚卸誘導端末２００のそれぞれの構成は、処理内容に応じて、さらに多くの構成要素に分類することもできる。また、１つの構成要素がさらに多くの処理を実行するように分類することもできる。
【００７１】
また、各制御部は、ハードウェア（ＡＳＩＣ、ＧＰＵなど）により構築されてもよい。また、各制御部の処理が一つのハードウェアで実行されてもよいし、複数のハードウェアで実行されてもよい。
【００７２】
[動作の説明]次に、本実施形態における資産管理システム１の動作を説明する。図１１は、本実施形態における資産コード登録処理のフロー図である。
【００７３】
資産コード登録処理は、管理対象資産３００の効率的な登録を実現する処理である。資産コード登録処理は、資産管理支援装置１００および棚卸誘導端末２００の稼動が開始され、棚卸誘導端末２００の所定のランチャー等により開始指示を受け付けると、開始される。
【００７４】
まず、撮像制御部２１１は、カラーコードを貼り付けられた資産を配置近景と共に撮像する（ステップＳ００１）。具体的には、撮像制御部２１１は、カラーコード３５０と、カラーコード３５０が貼り付けられた管理対象資産３００と、管理対象資産３００が配置されている位置付近の近景と、を含めて撮像する。なお、この場合において、撮像範囲内に複数のカラーコード３５０が含まれるように撮像することで、各管理対象資産３００を個々に撮像する手間を省略することができる。また、撮像して取得した映像情報は、動画情報であってもよいし、静止画情報であってもよい。
【００７５】
そして、衛星波制御部２１３は、ＧＰＳ等の位置情報を映像に関連付ける（ステップＳ００２）。具体的には、衛星波制御部２１３は、ＧＰＳ等の衛星波により特定した現在地の位置情報を、ステップＳ００１にて取得した映像情報にexif等の情報として関連付ける。
【００７６】
そして、ブラウザ部２１２は、音声や文字のガイドがあれば映像に関連付ける（ステップＳ００３）。具体的には、ブラウザ部２１２は、音声や文字のガイド情報としてナレッジの入力を受け付けると、入力されたナレッジの情報をステップＳ００１にて取得した映像情報に関連付ける。
【００７７】
そして、ブラウザ部２１２は、資産管理支援装置１００へ、カラーコードが含まれる映像情報と、関連づけられた位置情報と、関連付けられたナレッジと、を送信する（ステップＳ００４）。なお、送信を終えると、ブラウザ部２１２は、棚卸誘導端末２００における資産コード登録処理を終了させる。
【００７８】
次に、送信された情報を受け取った資産管理支援装置１００の資産登録部１１１は、受信した映像内のカラーコードを検出する（ステップＳ００５）。具体的には、資産登録部１１１は、受信した映像情報に含まれるカラーコードの領域を特定する。具体的には、資産登録部１１１は、映像情報の中から、カラーコードに特徴的な図形の形状、配置等をパターンマッチングさせることで、カラーコードの存在の検出と映像内の位置の特定と、読取方向の特定等を行って、コードを一つまたは複数読み出す。
【００７９】
そして、資産登録部１１１は、カラーコードを符号化して資産コードとして、映像と位置情報とを関連付け、既存資産コードではない場合に、新たな資産として記憶する（ステップＳ００６）。具体的には、資産登録部１１１は、カラーコードの読み取りを行い、符号化して資産コードとして読出し、読み出したコードが資産情報記憶部１２１の資産コード１２１Ａに記憶されていない場合には、映像情報、位置情報、ナレッジの情報をそれぞれ、資産映像１２１Ｄ、配置位置１２１Ｃ、ナレッジ情報１２６Ｃとして記憶部に記憶させる。
【００８０】
以上が、資産コード登録処理の処理フローである。資産コード登録処理によれば、資産管理支援装置１００は、容易に資産のカラーコード情報、資産の外観情報、資産が配置されている位置情報を含む付近の環境情報、登録者のナレッジをも含めて、容易かつ確実に登録することができる。
【００８１】
図１２は、資産コード登録処理において、棚卸誘導端末２００上に表示される資産登録画面５００の出力例を示す図である。資産登録画面５００には、資産コード５１０Ａと、映像から再読込を行う再読込ボタン領域５１０Ｂと、資産種別入力領域５１１と、配置位置５１２Ａと、衛星波から再読込を行う再読込ボタン領域５１２Ｂと、登録日時５１３Ａと、撮影を行った日時の情報を映像（映像に関連付けられた日時の情報、例えばexif情報等）から再読込する撮影情報再読込ボタン領域５１３Ｂと、登録作業者５１４Ａと、再読込を行う再読込ボタン領域５１４Ｂと、が含まれる。
【００８２】
また、資産登録画面５００には、さらに、管理対象資産３００の配置近景を含む資産の映像表示領域５２０と、音声ガイド入力指示ボタン領域５３０と、テキストガイド入力指示ボタン領域５４０と、資産登録入力指示ボタン領域５５０と、が含まれる。配置近景を含む資産の映像表示領域５２０には、撮像部２３０の撮影により得られる映像情報が表示される。例えば、管理対象資産であるプリンタ５２０Ｂと、プリンタ５２０Ｂに貼付されたカラーコード５２０Ａと、プリンタ５２０Ｂの配置位置周辺の背景近景５２０Ｃと、が含まれる映像情報が表示される。
【００８３】
音声ガイド入力指示ボタン領域５３０は、入力を受け付けると、ナレッジとして扱われる音声情報の入力受付を開始する。例えば、「このプリンタは、予備のプリンタのため、他のプリンタの修理の際には、貸し出されます。そのため、ここにない場合には、貸し出し中の可能性があります。」などの発話情報を受け付ける。
【００８４】
テキストガイド入力指示ボタン領域５４０は、入力を受け付けると、ナレッジとして扱われるテキスト情報の入力受付を開始する。例えば、「このプリンタは、予備のプリンタのため、他のプリンタの修理の際には、貸し出されます。そのため、ここにない場合には、貸し出し中の可能性があります。」などのテキスト情報を受け付ける。
【００８５】
資産登録入力指示ボタン領域５５０は、入力を受け付けると、資産登録画面５００にて入力された情報を資産管理支援装置１００に送信する。
【００８６】
以上が、資産登録画面５００の出力例である。
【００８７】
図１３は、本実施形態における棚卸誘導処理のフロー図である。
【００８８】
棚卸誘導処理は、棚卸する対象の管理対象資産３００の効率的な発見を実現する処理である。棚卸誘導処理は、資産管理支援装置１００および棚卸誘導端末２００の稼動が開始され、棚卸誘導端末２００の所定のランチャー等により開始指示を受け付けると、開始される。
【００８９】
まず、ブラウザ部２１２は、資産コード、場所、作業予定日、作業者のいずれかまたは複数の検索キーを受け付ける（ステップＳ１０１）。
【００９０】
そして、ブラウザ部２１２は、検索キーを資産管理支援装置１００へ送信する（ステップＳ１０２）。なお、ブラウザ部２１２は、検索キーに付帯させて、衛星波制御部２１３がＧＰＳ等の衛星波により特定した現在地の位置情報についても送信する。
【００９１】
そして、棚卸指示部１１２は、検索キーにより絞り込み検索を行い、棚卸対象を特定する（ステップＳ１０３）。具体的には、棚卸指示部１１２は、ステップＳ１０２にて送信された検索キーを用いて、棚卸作業情報記憶部１２２を検索し、検索条件を満たす資産の資産コード１２２Ａ、配置位置１２２Ｂ、棚卸作業予定日時１２２Ｃ、資産映像１２２Ｄ、作業者１２２Ｅの情報を読み出す。また、棚卸指示部１１２は、該当する資産コード１２２Ａに関して、資産情報記憶部１２１の資産種別１２１Ｂについても読み出す。
【００９２】
そして、棚卸経路誘導部１１３は、最寄りの棚卸対象の管理対象資産は現在地が属する建物外であるか否かを判定する（ステップＳ１０４）。具体的には、棚卸経路誘導部１１３は、ステップＳ１０２において送信された現在地の位置情報を用いて、現在地から最寄りの棚卸対象となっている管理対象資産３００を特定し、当該管理対象資産３００の配置位置１２２Ｂは、現在地が属する建物外であるか否かを判定する。なお、棚卸経路誘導部１１３は、地図情報記憶部１２３のいずれかの建物の範囲１２３Ｃにて特定される範囲内に、現在地の位置情報および最寄りの管理対象資産の配置位置が共に含まれる場合には、建物内であると判定し、そうではない場合には、建物外であると判定する。最寄りの棚卸対象の管理対象資産が現在地が属する建物内の場合には、棚卸経路誘導部１１３は、後述するステップＳ１０７へ制御を進める。
【００９３】
最寄りの管理対象資産が現在地が属する建物外の場合（ステップＳ１０４にて「Ｙｅｓ」の場合）には、棚卸経路誘導部１１３は、棚卸経路履歴のうち、棚卸対象の資産コードのカバー率が高い経路を読出し、移動履歴およびナレッジを棚卸誘導端末へ送信する（ステップＳ１０５）。具体的には、棚卸経路誘導部１１３は、棚卸経路履歴記憶部１２４の資産コード１２４Ｃの中から、棚卸対象の管理対象資産３００の資産コードが最も多く含まれる経路識別子１２４Ａを特定する。そして、棚卸経路誘導部１１３は、該当する管理対象資産３００のナレッジ情報１２６Ｃを経路識別子１２６Ａと資産コード１２６Ｂの組み合わせに基づきナレッジ記憶部１２６から読出し、棚卸資産までの移動履歴１２４Ｆとともに棚卸誘導端末２００へ送信する。
【００９４】
そして、ブラウザ部２１２は、履歴情報と地図情報とを突き合わせて、資産までの移動経路を誘導するとともに、該当するナレッジを表示する（ステップＳ１０６）。具体的には、ブラウザ部２１２は、移動履歴の情報を、地図上に重畳された形で視覚的に示すとともに、次に棚卸を行う管理対象資産３００に関するナレッジを、音声またはテキストにて出力する。
【００９５】
棚卸経路誘導部１１３は、誘導履歴のうち、棚卸対象の資産コードのカバー率が高い履歴を読出し、棚卸映像を棚卸誘導端末へ送信する（ステップＳ１０７）。具体的には、棚卸経路誘導部１１３は、誘導履歴記憶部１２５の映像に含まれる資産コード１２５Ｂの中から、棚卸対象の管理対象資産３００の資産コードが最も多く含まれる棚卸映像１２５Ａを特定する。そして、棚卸経路誘導部１１３は、棚卸映像１２５Ａを棚卸誘導端末２００へ送信する。
【００９６】
そして、ブラウザ部２１２は、棚卸映像を再生させつつ、レイアウトを参照して、資産までの移動経路を重畳させて表示させる（ステップＳ１０８）。具体的には、ブラウザ部２１２は、移動履歴の情報を、レイアウト図上に重畳された形で視覚的に示すとともに、次に棚卸を行う管理対象資産３００に関する棚卸映像を、音声を伴って再生出力する。なお、撮像制御部２１１は、作業者が移動している期間においては、所定の範囲を録画記録する。また、ブラウザ部２１２は、ある管理対象物に関して複数の動画情報が存在する場合には、移動に要する時間が最短であった動画情報を用いて誘導する。
【００９７】
ブラウザ部２１２は、棚卸対象の管理対象資産は全て誘導済みとなったか否かを判定する（ステップＳ１０９）。具体的には、ブラウザ部２１２は、棚卸対象の管理対象資産３００について誘導済みとなった場合には、資産管理支援装置１００へ通知して、ステップＳ１０４を再度実行するよう依頼する。依頼の応答が全て誘導済みである旨の応答であれば、ブラウザ部２１２は、棚卸誘導処理を終了させる。
【００９８】
以上が、棚卸誘導処理の処理フローである。棚卸誘導処理によれば、資産管理支援装置１００は、棚卸対象の管理対象資産３００を特定して、建物外の管理対象資産３００に対しては、移動経路を履歴から検索して提示して誘導することが可能となり、建物内の管理対象資産３００に対しては、以前に棚卸した際の映像情報を参照させながらレイアウト図を用いて誘導可能となるため、作業者は迷いなく確実に棚卸作業を行うことができるといえる。
【００９９】
図１４は、棚卸誘導処理において、棚卸誘導端末２００上に表示される経路誘導画面６００の出力例を示す図である。経路誘導画面６００には、棚卸対象の管理対象資産３００のリスト情報と、地図情報６１０と、管理対象資産３００が配置されている地図上の位置を示す矢印情報６２０Ａ〜６２０Ｄと、次に棚卸する対象の管理対象資産３００の映像情報６２１と、棚卸する対象の管理対象資産３００間の地図上での移動経路６４０と、当該移動に係る所要時間の過去の実績時間６５０と、当該経路全体での前回の所要時間６６０と、資産ごとの音声のナレッジの再生を指示する音声ガイドボタン６３０と、が含まれる。
【０１００】
音声ガイドボタン６３０は、入力を受け付けると、ナレッジとして扱われる音声情報の出力を開始する。例えば、「このプリンタは、予備のプリンタのため、他のプリンタの修理の際には、貸し出されます。そのため、ここにない場合には、貸し出し中の可能性があります。」などの発話情報を出力させる。
【０１０１】
以上が、経路誘導画面６００の出力例である。
【０１０２】
図１５は、本実施形態における資産存在確認処理のフロー図である。
【０１０３】
資産存在確認処理は、管理対象資産３００の効率的な存在確認を実現する処理である。資産存在確認処理は、資産管理支援装置１００および棚卸誘導端末２００の稼動が開始され、棚卸誘導端末２００の所定のランチャー等により開始指示を受け付けると、開始される。
【０１０４】
まず、撮像制御部２１１は、カラーコードを貼り付けられた資産を配置近景と共に撮像する（ステップＳ２０１）。具体的には、撮像制御部２１１は、カラーコード３５０と、カラーコード３５０が貼り付けられた管理対象資産３００と、管理対象資産３００が配置されている位置付近の近景と、を含めて撮像する。なお、この場合において、撮像範囲内に複数のカラーコード３５０が含まれるように撮像することで、各管理対象資産３００を個々に撮像する手間を省略することができる。
【０１０５】
そして、衛星波制御部２１３は、ＧＰＳ等の位置情報を映像に関連付ける（ステップＳ２０２）。具体的には、衛星波制御部２１３は、ＧＰＳ等の衛星波により特定した現在地の位置情報を、ステップＳ２０１にて取得した映像情報にexif等の情報として関連付ける。
【０１０６】
そして、ブラウザ部２１２は、音声や文字のナレッジの入力があれば映像に関連付ける（ステップＳ２０３）。具体的には、ブラウザ部２１２は、音声や文字のナレッジの入力を受け付けると、入力されたナレッジの情報をステップＳ２０１にて取得した映像情報に関連付ける。
【０１０７】
そして、ブラウザ部２１２は、資産管理支援装置１００へ、カラーコードが含まれる映像情報と、関連づけられた位置情報と、関連付けられたナレッジと、を送信する（ステップＳ２０４）。なお、送信を終えると、ブラウザ部２１２は、棚卸誘導端末２００における資産存在確認処理を終了させる。
【０１０８】
次に、送信された情報を受け取った資産管理支援装置１００の資産存在確認部１１４は、受信した映像内のカラーコードを検出する（ステップＳ２０５）。具体的には、資産存在確認部１１４は、受信した映像情報に含まれるカラーコードの領域を特定する。具体的には、資産存在確認部１１４は、カラーコードに特徴的な図形の形状、配置等をパターンマッチングさせることで、カラーコードの存在の検出と映像内の位置の特定と、読取方向の特定等を行って、コードを一つまたは複数読み出す。
【０１０９】
そして、資産存在確認部１１４は、カラーコードを符号化したコードが棚卸対象の資産コードと一致し、かつ、配置近景を含む映像および位置情報が所定以上類似する資産を棚卸完了とする（ステップＳ２０６）。具体的には、資産存在確認部１１４は、一つまたは複数のカラーコードの読み取りを行い、符号化して資産コードとして読出した場合に棚卸対象の資産コードと一致するものについて、カラーコードの大きさが一致するように、配置近景を含む映像の所定範囲を切り出して、資産情報記憶部１２１の資産映像１２１Ｄに格納されている同資産コードを有する資産の映像情報の同様の範囲を切り出して比較し、画像の特徴点が所定以上類似する場合には、当該資産を棚卸完了として記憶部に記憶させる。
【０１１０】
そして、資産存在確認部１１４は、棚卸完了となった資産について、棚卸映像を誘導履歴記憶部１２５に記憶させ、位置情報の変化を棚卸経路履歴記憶部１２４の棚卸資産までの移動履歴１２４Ｆに記憶させ、ナレッジについてもナレッジ記憶部１２６に記憶させる（ステップＳ２０７）。
【０１１１】
以上が、資産存在確認処理の処理フローである。資産存在確認処理によれば、資産管理支援装置１００は、容易に資産のカラーコード情報、資産の外観情報、資産が配置されている位置情報を含む付近の環境情報にもとづき、正確に棚卸を行うことができる。
【０１１２】
図１６は、資産存在確認処理において、棚卸誘導端末２００上に表示される資産棚卸画面７００の出力例を示す図である。資産棚卸画面７００には、資産コード７１０Ａと、映像から再読込を行う再読込ボタン領域７１０Ｂと、資産種別入力領域７１１と、配置位置７１２Ａと、衛星波から再読込を再読込ボタン領域７１２Ｂと、棚卸日時７１３Ａと、撮影を行った日時の情報を映像（映像に関連付けられた日時の情報、例えばexif情報等）から再読込する撮影情報再読込ボタン領域７１３Ｂと、作業者７１４Ａと、再読込を行う再読込ボタン領域７１４Ｂと、が含まれる。
【０１１３】
また、資産棚卸画面７００には、さらに、管理対象資産３００の配置近景を含む資産の映像表示領域７２０と、音声ガイド出力指示ボタン領域７３０と、テキストガイド出力指示ボタン領域７４０と、棚卸実施入力指示ボタン領域７５０と、が含まれる。配置近景を含む資産の映像表示領域７２０には、撮像部２３０の撮影により得られる映像情報が表示される。例えば、管理対象資産であるプリンタ７２０Ｂと、プリンタ７２０Ｂに貼付されたカラーコード７２０Ａと、プリンタ７２０Ｂの配置位置周辺の背景近景７２０Ｃと、が含まれる映像情報が表示される。
【０１１４】
音声ガイド出力指示ボタン領域７３０は、入力を受け付けると、ナレッジとして扱われる音声情報の出力を開始する。例えば、「このプリンタは、予備のプリンタのため、他のプリンタの修理の際には、貸し出されます。そのため、ここにない場合には、貸し出し中の可能性があります。」などの発話情報を出力する。
【０１１５】
テキストガイド出力指示ボタン領域７４０は、入力を受け付けると、ナレッジとして扱われるテキスト情報の出力を開始する。例えば、「このプリンタは、予備のプリンタのため、他のプリンタの修理の際には、貸し出されます。そのため、ここにない場合には、貸し出し中の可能性があります。」などのテキスト情報を別ウィンドウ等により出力する。
【０１１６】
棚卸実施入力指示ボタン領域７５０は、入力を受け付けると、資産棚卸画面７００にて入力された情報を資産管理支援装置１００に送信する。
【０１１７】
以上が、資産棚卸画面７００の出力例である。
【０１１８】
以上、本発明に係る第一の実施形態を適用した資産管理システム１について説明した。
当該実施形態によると、利用者は、資産を容易に、迅速に確認することができる。
【０１１９】
本発明は、上記の第一の実施形態に制限されない。上記の第一の実施形態は、本発明の技術的思想の範囲内で様々な変形が可能である。例えば、上記の第一の実施形態においては、棚卸誘導端末２００は、ブラウザ部２１２により棚卸対象の資産に至る経路を提示しているが、これに限られない。例えば、棚卸誘導端末２００に地図情報やレイアウト情報が設けられ、経路誘導機能を実現する演算部が存在する場合には、資産の情報を読み出すためのキーとなる情報（例えば、位置情報あるいは携帯電話網の基地局情報等）を資産管理支援装置１００から取得して、棚卸誘導端末２００の経路誘導機能を用いて誘導するようにしてもよい。このようにすることで、通信品質が安定しない場所等においても、安定的に資産の棚卸を行うことができるといえる。
【０１２０】
また例えば、上記の第一の実施形態においては、棚卸誘導端末２００には、撮像部２３０が設けられているが、これに限られるものでもない。例えば、撮像部２３０に相当する光学映像取得装置を有線（ＵＳＢ通信、ＬＡＮ等）あるいは無線（ＮＦＣ（Ｎｅａｒ  Ｆｉｅｌｄ  Ｃｏｍｍｕｎｉｃａｔｉｏｎ）、Ｂｌｕｅｔｏｏｔｈ、無線ＬＡＮ等）により棚卸誘導端末２００と接続し、撮像するようにしてもよい。このようにすると、例えば、管理対象資産３００が配置された場所に設けられている監視カメラ等、定点カメラの情報を取得して資産管理の対象となる管理対象資産３００の存在を確認することが可能となり、危険を伴う場所やセキュリティ上不特定多数者が訪問することが推奨されない場所等に配置された資産の確認が容易となる。
【０１２１】
また例えば、上記の第一の実施形態においては、資産管理支援装置１００と棚卸誘導端末２００とは別の装置であるが、例えば資産管理支援装置１００の制御部１１０と記憶部１２０と同様の構成を棚卸誘導端末２００に備える等、単一の装置により実現することも可能である。
【０１２２】
また、上記した実施形態の技術的要素は、単独で適用されてもよいし、プログラム部品とハードウェア部品のような複数の部分に分けられて適用されるようにしてもよい。
【０１２３】
以上、本発明について、実施形態を中心に説明した。
【符号の説明】
【０１２４】
１・・・資産管理システム、１０・・・ネットワーク、１００・・・資産管理支援装置、１１０・・・制御部、１１１・・・資産登録部、１１２・・・棚卸指示部、１１３・・・棚卸経路誘導部、１１４・・・資産存在確認部、１２０・・・記憶部、１２１・・・資産情報記憶部、１２２・・・棚卸作業情報記憶部、１２３・・・地図情報記憶部、１２４・・・棚卸経路履歴記憶部、１２５・・誘導履歴記憶部、１２６・・・ナレッジ記憶部、１３０・・・通信部、２００・・・棚卸誘導端末、２１０・・・制御部、２１１・・・撮像制御部、２１２・・・ブラウザ部、２１３・・・衛星波制御部、２２０・・・記憶部、２２１・・・資産情報記憶部、２２２・・・棚卸作業情報記憶部、２３０・・・撮像部、２４０・・・通信部、３００・・・管理対象資産、３５０・・・カラーコード
【図１】
2015172859.tif 000003
【図２】
2015172859.tif 000004
【図３】
2015172859.tif 000005
【図４】
2015172859.tif 000006
【図５】
2015172859.tif 000007
【図６】
2015172859.tif 000008
【図７】
2015172859.tif 000009
【図８】
2015172859.tif 000010
【図９】
2015172859.tif 000011
【図１０】
2015172859.tif 000012
【図１１】
2015172859.tif 000013
【図１２】
2015172859.tif 000014
【図１３】
2015172859.tif 000015
【図１４】
2015172859.tif 000016
【図１５】
2015172859.tif 000017
【図１６】
2015172859.tif 000018